(57)【要約】【課題】遠隔地の各監視者から送られる報告書に記載された事象について、中央にいる管理者がその知識や経験によらず状況の判断を迅速に行い、管理者及び各監視者の間で状況についての情報を共有する。【解決手段】監視サーバ３が、遠隔地に配置された監視端末１ａ〜１ｅからネットワーク２を介して各遠隔地にいる監視者によって監視された事象についての情報を含むファイルを報告書として受信する受信部８と、監視される事象に関連付けられた複数のフォルダを記憶する記憶部９と、この報告書に含まれる事象についての情報に基づいて、この情報に対応するいずれかのフォルダにこの報告書を振り分ける振り分け処理部１１と、各フォルダへ振り分けられた報告書に記載された事象についての情報を表示する表示部１０と、表示部１０に表示された情報に基づき管理者によって判断された監視対象の状況を監視端末１ａ〜１ｅへ送信する送信部８とを備える。【選択図】図３
2009027365.tif 000002
【特許請求の範囲】
【請求項１】
それぞれが遠隔地に配置されて、各遠隔地にいる監視者によって監視された事象についての情報をファイルに挿入し、このファイルを報告書として送信可能な複数の監視端末と、
これらの監視端末から送信される情報を一元的に管理し、ネットワークを介してこれらの監視端末と通信する監視サーバとを具備し、
この監視サーバが、
前記複数の監視端末から送信された報告書を前記ネットワークを介して受信する受信部と、
それぞれが各監視者によって監視される事象に関連付けられた複数のフォルダを記憶する記憶部と、
前記受信部にて受信された前記報告書に含まれる事象についての情報に基づいて、この情報に対応するいずれかのフォルダにこの報告書を振り分ける振り分け処理部と、
この振り分け処理部によって各フォルダへ振り分けられた報告書に記載された事象についての情報を表示する表示部と、
この表示部によって表示された情報に基づき管理者によって判断された監視対象の状況を前記複数の監視端末へ送信する送信部と、
を備えたことを特徴とする情報判断支援システム。
【請求項２】
前記振り分け処理部は、
前記受信部にて受信された報告書の検索用のファイルを記憶するバッファと、
前記各遠隔地にいる監視者又は前記管理者からの指令にしたがって設定可能なキーワードを記憶するとともにこのキーワードを前記いずれかのフォルダに設定するキーワード設定部と、
このバッファに記憶された検索用のファイルを全文検索し、この検索用のファイルから前記複数のフォルダのうちのいずれかを識別するキーワードを抽出し、前記検索用のファイルに対応する報告書を前記記憶部に作成されている複数のフォルダのいずれかに移す処理を行う抽出処理部と、
を備えたことを特徴とする請求項１記載の情報判断支援システム。
【請求項３】
前記送信部は、前記複数の監視端末に対して、これらの送り先の監視端末以外の他の監視端末が個別に取得した事象についての情報を送信することを特徴とする請求項１記載の情報判断支援システム。
【請求項４】
それぞれ遠隔地に配置された複数の監視端末とネットワークを介して通信可能にされた監視サーバが、いずれかの遠隔地にいる監視者によって監視された事象についての情報を含むファイルを、これらの監視端末のうちのいずれかの監視端末から報告書として受信するステップと、
この監視サーバが、この報告書に含まれる事象についての情報に基づいて、各監視者によって監視される事象に関連付けて記憶装置に記憶した複数のフォルダのうちのこの情報に対応するいずれかのフォルダに前記報告書を振り分けるステップと、
前記監視サーバが、各フォルダへ振り分けた報告書に記載された事象についての情報を表示装置に表示させるステップと、
前記監視サーバが、この表示装置に表示させた情報に基づき管理者によって判断された監視対象の状況を前記複数の監視端末へ送信するステップと、
を備えたことを特徴とする情報監視方法。
【請求項５】
それぞれが遠隔地に配置された複数の監視端末から、ネットワークを介して、各遠隔地にいる監視者によって監視された事象についての情報を含むファイルを報告書として受信する受信部と、
それぞれが各監視者によって監視される事象に関連付けられた複数のフォルダを記憶する記憶部と、
前記受信部にて受信された前記報告書に含まれる事象についての情報に基づいて、この情報に対応するいずれかのフォルダにこの報告書を振り分ける振り分け処理部と、
この振り分け処理部によって各フォルダへ振り分けられた報告書に記載された事象についての情報を表示する表示部と、
この表示部によって表示された情報に基づき管理者によって判断された監視対象の状況を前記複数の監視端末へ送信する送信部と、
を備えたことを特徴とするサーバ装置。
【発明の詳細な説明】
【技術分野】
【０００１】
本発明は、複数の監視端末より送信される監視事象についての情報に基づき、各監視事象について所定の状況判断を行うことを支援する情報判断支援システム、情報判断支援システムにおける情報監視方法、及び情報判断支援システムに用いられるサーバ装置に関する。
【背景技術】
【０００２】
一般に、監視業務においては、複数の監視事象から、人が総合的な検討を行って、監視対象の状況や状態を判断する場合がある。例えば衛星画像に含まれる特定地域の森林伐採面積の推移や、雨量計の観測値の変動といった事象を監視することによって、防災のための予測といった判断を人が行う。
【０００３】
また、複数の監視すべき事象を、中央の監視センター等において管理者が一括して管理し、これらの事象の実際の監視は、遠隔地など別々の場所にいる複数の監視者によって行われることがある。例えば環境変化の状況を判断する場合、複数の場所について撮影された衛星画像の中の特定領域内における人あるいは車両の数の変動や、これらの場所における所定の音声周波数を有する騒音の出現回数を各監視者が監視し、管理者が、これらの数の変動や出現回数といった事象を一括管理する。
【０００４】
このような場合には、それらの複数の監視者は、事象についての情報を自己の監視端末を用いて監視センターへ送り、この監視センターにいる管理者が各事象についての情報に基づいて、監視対象の状況を判断する。各監視者は、監視している事象に関して変化があった場合、監視端末を用いて事象の変化があった旨のファイルを報告書として監視センターの監視サーバに送信する。
【０００５】
従来、遠方監視の技術に関しては、複数の被監視端末から送信されてくる監視情報を解析する解析用サーバを設け、この解析用サーバが、被監視端末のエラー動作の情報を取り出すフィルタリング機能と、緊急性のある状態か否かを識別する優先度設定機能とを備え、これらの２つの機能による解析結果を被監視端末に報告する遠方監視システムが提案されている（特許文献１参照）。
【特許文献１】特開２００７−３４７１３号公報
【発明の開示】
【発明が解決しようとする課題】
【０００６】
しかしながら、管理者が監視センターにおいて全ての監視事象を一元的に管理しているため、この管理者が各監視者からのファイルを報告書として受け取ったとしても、それらの報告書に記載されている事象についての全ての内容を管理者が把握しているとは限らない。管理者が事象についての内容を把握していない場合には、各監視端末から送られてきた報告書が複数の事象のうちのどの事象に関連するものであるかを管理者が速やかに判断することは難しい。
【０００７】
事象の変化が起きた際に、将来起こりうる事態を予測すること、又は何らかの行動をとるべきか若しくはしばらく様子を見るべきかなどの対策を検討すること、といった状況についての判断を管理者及び遠隔地の各監視者が行って迅速な結論を得ることは困難である。
【０００８】
本発明は、上記の課題に鑑み、遠隔地に設けられた複数の監視端末からの報告書に記載された事象について管理者が持つ知識や経験にかかわらず、監視対象の状況についての判断を管理者が迅速に行えるようにし、管理者及び各監視者の間で監視対象の状況についての情報を共有できるようにした情報判断支援システム、情報監視方法、及びサーバ装置を提供することを目的とする。
【課題を解決するための手段】
【０００９】
本発明の請求項１によれば、それぞれが遠隔地に配置されて、各遠隔地にいる監視者によって監視された事象についての情報をファイルに挿入し、このファイルを報告書として送信可能な複数の監視端末と、これらの監視端末から送信される情報を一元的に管理し、ネットワークを介してこれらの監視端末と通信する監視サーバとを具備し、この監視サーバが、前記複数の監視端末から送信された報告書を前記ネットワークを介して受信する受信部と、それぞれが各監視者によって監視される事象に関連付けられた複数のフォルダを記憶する記憶部と、前記受信部にて受信された前記報告書に含まれる事象についての情報に基づいて、この情報に対応するいずれかのフォルダにこの報告書を振り分ける振り分け処理部と、この振り分け処理部によって各フォルダへ振り分けられた報告書に記載された事象についての情報を表示する表示部と、この表示部によって表示された情報に基づき管理者によって判断された監視対象の状況を前記複数の監視端末へ送信する送信部と、を備えたことを特徴とする情報判断支援システムが提供される。
【００１０】
本発明の請求項４によれば、それぞれ遠隔地に配置された複数の監視端末とネットワークを介して通信可能にされた監視サーバが、いずれかの遠隔地にいる監視者によって監視された事象についての情報を含むファイルを、これらの監視端末のうちのいずれかの監視端末から報告書として受信するステップと、この監視サーバが、この報告書に含まれる事象についての情報に基づいて、各監視者によって監視される事象に関連付けて記憶装置に記憶した複数のフォルダのうちのこの情報に対応するいずれかのフォルダに前記報告書を振り分けるステップと、前記監視サーバが、各フォルダへ振り分けた報告書に記載された事象についての情報を表示装置に表示させるステップと、前記監視サーバが、この表示装置に表示させた情報に基づき管理者によって判断された監視対象の状況を前記複数の監視端末へ送信するステップと、を備えたことを特徴とする情報監視方法が提供される。
【００１１】
本発明の請求項５によれば、それぞれが遠隔地に配置された複数の監視端末から、ネットワークを介して、各遠隔地にいる監視者によって監視された事象についての情報を含むファイルを報告書として受信する受信部と、それぞれが各監視者によって監視される事象に関連付けられた複数のフォルダを記憶する記憶部と、前記受信部にて受信された前記報告書に含まれる事象についての情報に基づいて、この情報に対応するいずれかのフォルダにこの報告書を振り分ける振り分け処理部と、この振り分け処理部によって各フォルダへ振り分けられた報告書に記載された事象についての情報を表示する表示部と、この表示部によって表示された情報に基づき管理者によって判断された監視対象の状況を前記複数の監視端末へ送信する送信部と、を備えたことを特徴とするサーバ装置が提供される。
【発明の効果】
【００１２】
本発明によれば、遠隔地から送られてくる報告書についての管理者が持つ知識や経験によらず、管理者は監視対象の状況についての判断を迅速且つ的確に行うことが可能になり、中央にいる管理者及び遠隔地にいる監視者どうしが、連携して対象への監視を行えるようになる。
【発明を実施するための最良の形態】
【００１３】
以下、本発明の実施の形態に係る情報判断支援システム、情報監視方法及びサーバ装置について、図１乃至図５を参照しながら説明する。尚、各図において同一箇所については同一の符号を付すとともに、重複した説明は省略する。
【００１４】
（１）システム構成
本発明の一実施形態に係る情報判断支援システムは、システム管理者、及び遠隔地である複数の拠点にいる各監視者が、事象の変化が起きた際に送られるファイルに記載された情報を用いて、将来起こりうる事態を予測すること、又は何らかの行動をとるべきか若しくはしばらく様子を見るべきかなどの対策を検討すること、を行うことを支援するものである。
【００１５】
図１は本実施形態に係る情報判断支援システムの構成図である。この情報判断支援システムは、それぞれが遠隔地に配置されて、各遠隔地にいる監視者によって監視された事象についての状況変化等の情報をファイルに挿入し、このファイルを報告書として送信可能な監視端末１ａ，１ｂ，１ｃ，１ｄ及び１ｅと、通信回線であるネットワーク２と、これらの監視端末１ａ〜１ｅから送信される情報を一元的に管理し、ネットワーク２を介してこれらの監視端末１ａ〜１ｅと通信する監視サーバ３とから成る。
【００１６】
事象とは、システム管理者が環境変化など監視対象の状況を判断するために用いられる事柄を指す。監視事象の具体例は、複数の地域の環境政策についてマスメディアから得られる情報や、複数の場所における所定の音声周波数のレベルの計測値あるいはこの音声周波数を有する騒音の出現回数である。複数の場所について撮影された航空写真あるいは衛星画像の中の特定領域内での人あるいは車両の数の変動、交通量の変化、及び建造物の数の増減などの値も監視事象の変化として集められる。監視端末１ａは、監視事象の変化に関するレポートが記述されたファイルを作成し、このファイルを監視サーバ３へ送信する。
【００１７】
図２は監視端末１ａのブロック図である。監視端末１ａは、報告書作成端末であって、データを送受信する送受信部４と、事象に関連するキーワードを含むファイルを報告書として作成する報告書作成部５と、情報を表示する表示部６と、監視している事象に変化があるかどうかを判定するための条件を設定する設定部７とを備えている。キーワードとは、例えば監視事象名や、監視事象について記述された文字列を指す。
【００１８】
監視端末１ａには例えばパソコンが用いられる。監視端末１ａの近くには、事象を監視する監視者が待機しており、監視端末１ａはこの監視者によって操作される。送受信部４の機能はパソコンの通信手段により実現される。報告書作成部５の機能はワープロソフトウェアにより実現される。表示部６にはディスプレイが用いられる。
【００１９】
監視者が報告書を作成しているとき、報告書作成部５は、複数の監視事象名に対応する項目を並べたドロップダウンリストを表示部６に表示する。監視者によってこのドロップダウンリストから選択された監視事象名が報告書作成部５によって報告書に挿入される。文字列は監視者によるキーボードやマウスの操作によって報告書に記述される。
【００２０】
設定部７は、報道内容の重要度や、音声周波数のレベルあるいは騒音の出現回数や、人あるいは車両の数についての閾値等、事象についての情報を監視サーバ３へ送るかどうかの条件を監視端末１ａに設定する。設定部７にはキーボード、マウス、ＣＰＵ（中央演算装置）、ＲＯＭ及びＲＡＭ等が用いられる。
【００２１】
監視端末１ａは、自端末以外の他の監視端末１ｂ、１ｃ、１ｄ及び１ｅが得た事象についての情報を閲覧可能になっており、設定部７は、他の監視端末１ｂ〜１ｅにおいて得られた監視事象の情報を監視サーバ３経由で取得する際に取得するその情報の詳細設定をも行う。
【００２２】
また、監視端末１ｂ、１ｃ、１ｄ及び１ｅの構成も、監視端末１ａの構成と同じである。
【００２３】
これにより、各拠点において監視されている事象に関して変化があったと各監視者が判断した場合には、報告書作成部５は監視事象に関連するキーワードを含むファイルを作成する。各監視端末１ａ〜１ｅは、作成したファイルを報告書として監視サーバ３に宛てて送信する。
【００２４】
図３は監視サーバ３のブロック図である。サーバ装置である監視サーバ３は、パソコンによって構成されており、送受信部８、記憶部９、表示部１０、及び自動振り分け部１１を備えている。
【００２５】
送受信部８は、監視端末１ａ〜１ｅとの間でファイルを送受信するものである。送受信部８は、監視端末１ａ〜１ｅから送信された報告書をネットワーク２を介して受信する受信部として機能する。この送受信部８は、報告書に記載された事象についての状況変化等の情報に基づきシステム管理者によって判断された監視対象の状況を監視端末１ａ〜１ｅへ送信する送信部としても機能する。送受信部８にはパソコンの通信手段が用いられる。
【００２６】
記憶部９は、それぞれが各監視者によって監視される事象に関連付けられた複数のフォルダを記憶する。図３の例では、本実施形態に係る情報判断システムが監視する全ての監視事象のうちの３つの監視事象Ａ，Ｂ及びＣにそれぞれ対応するフォルダ９Ａ，９Ｂ及び９Ｃが、記憶部９に作成されている。これらの監視事象Ａから監視事象Ｃのためのフォルダ９Ａ〜９Ｃには、いずれも、予め適当な語句（例えばキーワードや文字列）が自動振り分け部１１によって設定されている。
【００２７】
全ての監視事象のうちのどの監視事象を記憶部９に作成するかについては、システム管理者によって決められる。これらのフォルダの作成は予めシステム管理者によって行われる。システム管理者は、全ての監視事象に対応するフォルダを記憶部９に作成しておいてもよい。記憶部９には、パソコンに内蔵又は増設されたハードディスクや、パソコンと挿抜可能なフラッシュメモリや、ＣＤ−ＲＷ、ＤＶＤ−ＲＷといった記憶媒体あるいは記録媒体が用いられる。
【００２８】
表示部１０は、自動振り分け処理部１１によって各フォルダへ振り分けられた報告書に記載された事象についての情報を表示するものである。表示部１０にはパソコンのディスプレイが用いられる。
【００２９】
自動振り分け部１１は、送受信部８にて受信された報告書に含まれる事象についての状況変化等の情報に基づいて、この情報に対応するいずれかのフォルダにこの報告書を振り分ける振り分け処理部である。自動振り分け部１１は、予めフォルダ９Ａ〜９Ｃに対してこれらのフォルダ９Ａ〜９Ｃを識別するキーワードを設定しておき、報告書の中に３つのキーワードのうちのいずれかが含まれているか否かについての全文検索を行って、報告書を振り分ける。
【００３０】
図４は自動振り分け部１１のブロック図である。自動振り分け部１１は、バッファ１２と、キーワード設定部１３と、抽出処理部１４とを備えている。このバッファ１２は、送受信部８からの報告書の検索用の検索対象ファイルを記憶する。キーワード設定部１３は、キーワード（あるいは語句）を記憶するとともにこのキーワードをフォルダ９Ａ〜９Ｃのそれぞれに設定するものである。
【００３１】
抽出処理部１４は、バッファ１２に記憶された検索対象ファイルを全文検索し、この検索対象ファイルからフォルダ９Ａ〜９Ｃのいずれかを識別するキーワードを抽出し、この検索対象ファイルに対応する報告書を記憶部９に作成されているフォルダ９Ａ〜９Ｃのうちの抽出したキーワードに対応するフォルダに移す処理を行うものである。抽出処理部１４によるキーワードの抽出処理は、検索対象ファイルに含まれるテキストと、キーワード設定部１３に記憶された各キーワードとのマッチングをとることによって行われる。
【００３２】
このキーワード設定部１３に記憶されるキーワードや語句の設定については、監視サーバ３に、キーワード設定部１３へのデータ書き込みを行える図示しない書き込み処理部が設けられており、これらのキーワードや語句は、システム管理者からの指令により、設定可能である。
【００３３】
バッファ１２及びキーワード設定部１３にはＲＡＭが用いられる。抽出処理部１４の機能はファイルに含まれるキーワードを全文検索するプログラムにより実現される。
【００３４】
これにより、監視端末１ａ，１ｂ，１ｃ，１ｄ及び１ｅからの報告書は、監視事象Ａ，Ｂ，Ｃ毎に設定されたキーワードにしたがって全文検索されて、各フォルダ９Ａ〜９Ｃに自動的に振り分けられる。
【００３５】
また、送受信部８は、監視端末１ａに対して、この送り先の監視端末１ａ以外の他の監視端末１ｂ〜１ｅが個別に取得した事象についての情報を送信する。同様に、監視端末１ｂ、１ｃ、１ｄ及び１ｅに対して、それぞれ、送受信部８は、これらの送り先の監視端末１ｂ〜１ｅ以外の他の監視端末からの事象の情報を送信する。
【００３６】
本実施形態に係る情報監視方法は、監視サーバ３が、いずれかの遠隔地にいる監視者によって監視された事象についての情報を含むファイルを、監視端末１ａ〜１ｅのうちのいずれかの監視端末から報告書として受信する。そして、監視サーバ３は、受信したこの報告書に含まれる事象についての情報に基づいて、記憶部９に記憶したフォルダ９Ａ〜９Ｃのうちのこの情報に対応するいずれかのフォルダに報告書を振り分けて、各フォルダへ振り分けた報告書に記載された事象についての情報を表示部１０に表示させ、そして、この表示部１０に表示させた情報に基づきシステム管理者によって判断された監視対象の状況を監視端末１ａ〜１ｅへ送信する。
【００３７】
（２）動作の説明
このような構成の本実施形態に係る情報判断支援システムの動作を説明する。
【００３８】
図５は本実施形態に係る情報判断支援システムにおける情報監視管理方法を説明するためのフローチャートである。システム管理者は、監視サーバ３を操作して、キーワード設定部９に所望の語句を設定する。
【００３９】
ステップＡ１においては、各監視端末１ａ〜１ｅの近くに待機している監視者は各々、各場所において、担当する監視事象、例えば各種のマスメディアによる情報や、計測値や出現回数などセンサにより収集される情報を利用して事象を監視している。
【００４０】
ステップＡ２において、各監視者は、事象の変化が生じているかどうかを判定する。ステップＡ２において、事象の変化が生じていないと監視者が判断している間はＮＯルートを通り、事象の監視がそのまま続けられる。
【００４１】
ステップＡ２において、事象の変化が生じたと監視者が判断した場合にはＹＥＳルートを通り、ステップＡ３において、監視者は自己の監視端末を用いてその監視事象に変化があった旨の文字列を報告書に記述し、監視対象名を選択して監視対象名を報告書に設定する。監視端末１ａ〜１ｅは、この報告書を、ネットワーク２を介して監視サーバ３宛てに送信する。
【００４２】
なお、各監視者は、報告書への文字列の記述と、報告書への監視対象名の設定とのうちのいずれか一方だけを行うようにすることもできる。
【００４３】
ステップＡ４において、監視サーバ３内の自動振り分け部１１は、この送信された報告書に含まれているキーワードを検索し、報告書に付随する監視対象名を判断する手法などによって、監視事象フォルダ９Ａ〜９Ｃのいずれかに振り分ける。これらの監視事象フォルダ９Ａ〜９Ｃには、報告書が蓄積されていく。
【００４４】
監視事象Ａ，Ｂ，Ｃのフォルダ９Ａ〜９Ｃに報告書が振り分けられる際に、システム管理者へメール等を用いてその旨を通知してもよく、このようにすれば、監視ミス等を防ぐことも可能である。
【００４５】
ステップＡ５において、システム管理者は、各監視事象フォルダ９Ａ〜９Ｃに入っている各監視端末１ａ〜１ｅからの報告書に含まれる情報を、表示部１０を用いて監視することにより、監視対象の状況を判断する。
【００４６】
ステップＡ６において、監視サーバ３は、システム管理者によって分析及び検討のうえ判断された監視対象の状況を、監視端末１ａ〜１ｅに対して送信する。このように、遠隔地にある各拠点において個別に集められた情報が監視センターに集約されるとともに、監視センターからの監視対象の全体の状況が各拠点にフィードバックされる。
【００４７】
監視サーバ３は、監視端末１ａに対して、監視端末１ｂ〜１ｅが個別に集めた監視事象についての情報も送信する。同様に、監視端末１ｂ、１ｃ、１ｄ及び１ｅは、それぞれ、自端末以外の他の監視端末が個別に集めた監視事象についての情報を監視サーバ３から送信される。
【００４８】
いずれかの監視端末において監視された事象の進行の度合いが上がっていることを表示部６によって他の監視者が知った場合には、監視者は画面上の進行の度合いが表示される部分をクリックする。他の監視端末からの監視事象を閲覧することにより、他の遠隔地の監視者は、所望の拠点における詳細な情報を得ることができる。従って、監視端末１ａ〜１ｅが、互いの事象の進行の度合いを表示することによって、遠隔地にある拠点間の横のつながりが実現する。
【００４９】
以上のように、本実施形態に係る情報判断支援システムによれば、監視事象ごとに報告書を自動的に振り分けることによって、システム管理者は監視対象の状況について迅速且つ的確に判断を下すことが可能となる。
【００５０】
また、各監視端末１ａ〜１ｅからの複数の報告書が、自動的に振り分けられるため、システム管理者が、受信した報告書の内容を熟知しておらず、あるいは内容判断についての経験が十分でない場合にも、監視対象について何らかの現象が起きる可能性が高まった事態であることを知ることができるようになる。
【００５１】
事象についての情報は細部に亘ることもあり、各拠点において監視者は別々に監視業務を行っている。細部に亘る情報が報告書に書き込まれると、この報告書が監視サーバ３に送られても、システム管理者が報告書に記載された情報を理解できない場合があるが、本実施形態に係る情報判断支援システムによれば、システム管理者の知識や経験に依存することなく、システム管理者は的確に且つ確実に状況の判断を行えるようになる。
【００５２】
このように、本発明のこの実施形態の情報判断支援システム、情報監視方法及びサーバ装置によれば、遠隔地にある複数の拠点が独立して事象を監視しており、これらの拠点からの報告書が中央に集められて、また、中央からの監視対象に関して集約された情報が遠隔地の拠点の間で共有されるようになり、これらの拠点の間で連携して監視業務を行えるようになる。
【００５３】
（３）変形例
また、各拠点の監視者は、複数の事象を監視し、これらの事象の情報を含めたファイルを複数、監視サーバ３へ送るようにもできる。各監視端末１ａ〜１ｅから複数の報告書が監視サーバ３へ送られる場合においても、本実施形態に係る情報判断支援システムによれば、監視サーバ３が複数の報告書を機械的に振り分けることができるため、監視対象についての状況の判断や分析を行えるようになる。
【００５４】
また、各監視端末１ａ〜１ｅに監視サーバ３からフィードバックされた全体情報が送信されるため、各監視者は、監視している事象の数が複数である場合にも、複数の事象のうちの特定の事象について注意して監視することができるようになる。全体情報のフィードバックによって、複数の拠点のうちの特定の地域や方面に属する拠点にいる監視者が、事象を強化して見ることもできるようになる。
【００５５】
（４）その他
尚、本発明は上記実施形態そのままに限定されるものではなく、実施段階ではその要旨を逸脱しない範囲で構成要素を変形して具体化できる。
【００５６】
上記の実施形態では、監視端末１ａ〜１ｅが、事象に関して状況変化等の情報を示す文字列やキーワードが記述されたファイルを報告書として作成していたが、これらの監視端末１ａ〜１ｅは、事象に関する複数の項目名をテンプレートとして予め書き込まれたファイルを用いてもよい。
【００５７】
テンプレートを有する報告書を用いる場合には、事象についての変化があったときに、監視者がファイル中の複数の項目のうち所望の項目を選択したうえで、このファイルを報告書として監視サーバ３に宛てて送信する。
【００５８】
上記の実施形態では、システム管理者がキーワードを報告書が送信される前に予め設定していたが、このキーワードを設定するタイミングは、一定時間間隔ごとでもよい。キーワードの設定のタイミングは、事象に何らかの変化が起きたときでもよい。このタイミングは各監視者あるいはシステム管理者によって決められる。
【００５９】
上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００６０】
【図１】本発明の一実施形態に係る情報監視システムの構成図である。
【図２】本発明の一実施形態に係る監視端末のブロック図である。
【図３】本発明の一実施形態に係る監視サーバのブロック図である。
【図４】本発明の一実施形態に係る監視サーバの振り分け処理部のブロック図である。
【図５】本発明の一実施形態に係る情報判断支援システムにおける情報監視管理方法を説明するためのフローチャートである。
【符号の説明】
【００６１】
１ａ，１ｂ，１ｃ，１ｄ，１ｅ…監視端末、２…ネットワーク、３…監視サーバ、４，８…送受信部、５…報告書作成部、６，１０…表示部、７…設定部、９…記憶部、１１…自動振り分け部（振り分け処理部）、１２…バッファ、１３…キーワード設定部、１４…抽出処理部。
【図１】
2009027365.tif 000003
【図２】
2009027365.tif 000004
【図３】
2009027365.tif 000005
【図４】
2009027365.tif 000006
【図５】
2009027365.tif 000007